(57)【特許請求の範囲】
【請求項１】
足踏部とその両側に位置する側部とマンホ―ル等に取付けられる脚部とを有する足掛具の前記脚部に複数段の係止部を形成し、該係止部をコンクリート壁に埋設されたキャップの内周面に係止させるようにしたマンホ―ル等用足掛具の取付装置において、
前記キャップの外周にキャップの抜け止め用突条を形成すると共に、内周に複数条の係止溝を形成し、該キャップの開口部位に拡大円筒部を形成し、
前記脚部に、その軸線方向に多数個配置された帯状突起群を放射方向に複数個に分割し、各分割された帯状突起群間に空気抜き通路を形成すると共に、各帯状突起群中の一部を前記キャップの係止溝に係止させ、脚部の側部側にフランジを形成し、該フランジを前記キャップの拡大円筒部内に重合させるようにしたことを特徴とするマンホ―ル等用足掛具の取付装置。
【請求項２】
前記フランジ及び拡大円筒部の一端面をコンクリート壁面の形状に合わせた傾斜面を形成したことを特徴とする請求項１に記載のマンホ―ル等用足掛具の取付装置。
【発明の詳細な説明】
【０００１】
【発明の属する技術分野】
本発明は、足踏部とその両側に位置する側部とマンホ―ル等に取付けられる脚部とを有する足掛具の前記脚部に複数段の係止部を形成し、該係止部をコンクリート壁に埋設されたキャップの内周面に係止させるようにしたマンホ―ル等用足掛具の取付装置に関するものである。
【０００２】
【従来の技術】
従来，足踏部とその両側に位置する側部とマンホ―ル等に取付けられる脚部とを有する足掛具の前記脚部に複数段の係止部を形成し、該係止部をコンクリート壁に埋設されたキャップの内周面に係止させるようにしたマンホ―ル等用足掛具の取付装置おいて、脚部の芯金を覆う合成樹脂を断面略円形に形成し側部を覆う合成樹脂と一体成形し、該略円形の合成樹脂の外周面に脚部側から側部側に向けて複数のひれを軸線方向に複数段設け、コンクリート壁に埋設された取付け部材（キャップ）を略中空円柱体とし、該中空円柱体の内壁に前記各ひれが係止される複数の段部を設けているものがある（例えば、特許文献１参照。）。
【０００３】
【特許文献１】
特開２０００−１４４７７６号公報
【０００４】
【発明が解決しようとする課題】
ところで、前記マンホ―ル等用足掛具の取付装置では、脚部の複数のひれと取付け部材の溝部とで係止させていることから、取付け部材に対する足掛具の取り付け強度が弱く、さらに空気抜け通路がないので脚部が取付け部材に差し込み難くなる虞がある。また、マンホ―ル等の壁面の形状によって足掛具が見栄えよく取り付けられず、足掛具の長期使用により足掛具が不安定となる虞もある。
【０００５】
本発明は、従来の技術の有するこのような問題点に鑑みてなされたものであり、その目的とするところは、マンホ―ル等の壁に埋設するキャップに対して足掛具の脚部を確実・容易にフィットさせ、取り付け強度も強くして足掛具がマンホ―ル等の壁に確実に取付られるマンホ―ル等用足掛具の取付装置を提供しようとするものである。
【０００６】
また、マンホ―ル等の壁面の形状にあわせて足掛具を見栄えよく取り付けることができ、足掛具の長期使用ににも耐え得るマンホ―ル等用足掛具の取付装置を提供しようとするものである。
【０００７】
【課題を解決するための手段】
上記目的を達成するために、本発明におけるマンホ―ル等用足掛具の取付装置は、足踏部とその両側に位置する側部とマンホ―ル等に取付けられる脚部とを有する足掛具の前記脚部に複数段の係止部を形成し、該係止部をコンクリート壁に埋設されたキャップの内周面に係止させるようにしたものにおいて、前記キャップの外周にキャップの抜け止め用突条を形成すると共に、内周に複数条の係止溝を形成し、該キャップの開口部位に拡大円筒部を形成し、前記脚部に、その軸線方向に多数個配置された帯状突起群を放射方向に複数個に分割し、各分割された帯状突起群間に空気抜き通路を形成すると共に、各帯状突起群中の一部を前記キャップの係止溝に係止させ、脚部の側部側にフランジを形成し、該フランジを前記キャップの拡大円筒部内に重合させるようにしたことを特徴とするものである。
【０００８】
また、前記フランジ及び拡大円筒部の一端面をコンクリート壁面の形状に合わせた傾斜面を形成したことを特徴とするものである。
【０００９】
【発明の実施の形態】
図１ないし図４は本発明の実施例に関するものであり、図１は足掛具をコンクリート壁に取り付ける平面説明図、図２は足掛具の正面図、図３は足掛具の側面図、図４はキャップの正面図である。
【００１０】
図において、１は足掛具の全体を示すものであり、該足掛具１は、足踏部２とその両側に位置する側部３，３とマンホ―ル等に取付けられる脚部４，４とで構成され、これら足踏部２と側部３，脚部４とは平面視略コ字状をした鉄製の芯金５にポリプロピレン等の合成樹脂６を防錆被覆してなるものである。
【００１１】
そして、前記足踏部２および側部３，３の表面にはほぼ全域にわたって滑り止め模様７が形成され、足踏部２の両端コーナー部には反射体８，８が設置されており、また、９は足踏部２の一側面に形成された波形の握り部である。また、前記足踏部２の正面には足掛具１を打ち込む際の打撃受け部１０，１０が足踏部２の合成樹脂６の被覆と一体成形されている。さらに、前記足踏部２の肉厚が、その上面中央部Ｓから両端側に向けて１度ないし５度の角度で上方へ傾斜するように変化させている。
【００１２】
そして、前記脚部４の芯金５を覆う合成樹脂６は断面略円形に形成され、該脚部側の略円形の合成樹脂６の外周面にはその軸線方向に多数個配置された帯状突起群１１，１１，…が放射方向に複数個に分割されて、合成樹脂６で一体成形されている。そして、各分割された帯状突起群間に空気抜き通路１２，１２，…が形成されている。
【００１３】
また、前記側部３と脚部４の境界部には、フランジ１３が合成樹脂６で一体成形されている。
【００１４】
１４は、前記脚部４を固定するキャップであり略中空円柱体の形状とし、該キャップ１４の外周にはキャップの抜け止め用突条１５，１５，…が形成されると共に、中空円柱の孔径は前記脚部４の合成樹脂６の外径と略等しくし、その内周には前記帯状突起群１１，１１，…を係止する複数条の係止溝１６，１６，…が形成されいる。また、該キャップ１４の開口部位には前記フランジ１３を重合させる拡大円筒部１７が形成されている。
【００１５】
以上のような構成からなる足掛具１の取付装置において、足掛具１を例えばマンホ―ル壁等のコンクリート壁１８に固定取付ける場合には、コンクリート壁１８に所定の間隔でキャップ１４を埋設する。該キャップ１４の外周に形成されている突条１５，１５，…により、コンクリートの壁１８からキャップ１４が抜け難くされている。
【００１６】
そして、前記脚部４の先端部をキャップ１４の開口部位に配置し、前記足踏部２の正面に成形した打撃受け部１０，１０にハンマー等を使用して打ち込むことにより、前記キャップ１４内に足掛具１の脚部４を挿入する。この際、前記脚部４の帯状突起群間に空気抜き通路１２，１２，…が形成されているので、キャップ１４内の空気が抜けて脚部４がキャップ１４に差し込み易くなる。
【００１７】
そして、脚部４がキャップ１４に差し込まれると、脚部４に形成された帯状突起群１１，１１，…の一部がキャップ１４の内周に形成された複数条の係止溝１６，１６，…にそれぞれ係止される。該帯状突起群１１，１１，…を多数形成したことにより、脚部４をキャップ１４に差し込む際に帯状突起１１が潰れたりしても他の帯状突起群１１，１１，…が複数条の係止溝１６，１６，…にそれぞれ係止されことになる。
【００１８】
また、キャップ１４の開口部位に形成された拡大円筒部１７に前記側部３と脚部４の境界部に成形されているフランジ１３が重合されることにより、キャップ１４への取り付け強度もより強くなり足掛具１がコンクリートの壁１８に確実に固定される。
【００１９】
また、前記フランジ１３及び拡大円筒部１７の一端面がコンクリート壁１８面の形状に合わせた傾斜面１９，２０とすることも可能である。この場合、例えばマンホール壁面の円周に合わせてフランジ１３及び拡大円筒部１７の一端面を傾斜面１９，２０とすると、キャップ１４がマンホールのコンクリート壁１８にきれいに埋め込まれ、足掛具１を見栄えよく取り付けることができる。
【００２０】
なお、本実施例においてコンクリート壁１８は直壁面であるものについて説明をしたが、本発明に係る足掛具１はコンクリート壁１８が傾斜面のものでも取り付け可能である。
【００２１】
【発明の効果】
本発明の請求項１によれば、足踏部とその両側に位置する側部とマンホ―ル等に取付けられる脚部とを有する足掛具の前記脚部に複数段の係止部を形成し、該係止部をコンクリート壁に埋設されたキャップの内周面に係止させるようにしたものにおいて、前記キャップの外周にキャップの抜け止め用突条を形成すると共に、内周に複数条の係止溝を形成し、該キャップの開口部位に拡大円筒部を形成し、前記脚部に、その軸線方向に多数個配置された帯状突起群を放射方向に複数個に分割し、各分割された帯状突起群間に空気抜き通路を形成すると共に、各帯状突起群中の一部を前記キャップの係止溝に係止させ、脚部の側部側にフランジを形成し、該フランジを前記キャップの拡大円筒部内に重合させるようにしたので、マンホ―ル等の壁に埋設するキャップに対して足掛具の脚部を確実・容易にフィットさせ、取り付け強度も強くして足掛具がマンホ―ル等の壁に確実に取付られるマンホ―ル等用足掛具の取付装置となる。
【００２２】
また、請求項２によれば、前記フランジ及び拡大円筒部の一端面をコンクリート壁面の形状に合わせた傾斜面を形成したので、マンホール等の壁面の形状にあわせて足掛具を見栄えよく取り付けることができ、足掛具の長期使用ににも耐え得るマンホ―ル等用足掛具の取付装置となる。
【図面の簡単な説明】
【図１】図１は本発明の実施例に係る足掛具をコンクリート壁に取り付ける平面説明図である。
【図２】図２は足掛具の正面図である。
【図３】図３は足掛具の側面図である。
【図４】図４はキャップの正面図である。
【符号の説明】
１              足掛具
２              足踏部
３              側部
４              脚部
１１            帯状突起群
１２            空気抜き通路
１３            フランジ
１４            キャップ
１５            抜け止め用突条
１６            係止溝
１７            拡大円筒部
１８            コンクリート壁
１９，２０      傾斜面
【図１】
0003651679.tif 000002
【図２】
0003651679.tif 000003
【図３】
0003651679.tif 000004
【図４】
0003651679.tif 000005